(57)【要約】【課題】コンパクトな加湿装置を提供することを目的とする。【解決手段】空気の吸込口と吹出口を有する本体と、それらを連通する風路内に、加湿フィルタと、貯水トレイと、タンクと、送風手段とを備えた加湿装置において、前記タンク１は枠体１１と、給水口１３と、排水口１７からなり、前記給水口１３または前記排水口１７の開口の少なくとも一部が、その開口のある面に隣接する少なくとも一つの面に接し、前記給水口１３および前記排水口１７には栓１４を備え、前記枠体１１に前記栓１４を設置したときに、前記栓１４の少なくとも一部が前記枠体１１の開口の内側に接して入り込んで開口をふさぎ、栓１４を開口のある面に対して垂直方向に投影した際に開口のある面内に収まる加湿装置としたことにより、栓１４によるタンク１の設置方向の断面積の増大を防ぐことができ、コンパクトな加湿装置を実現することができる。【選択図】図１
2012083064.tif 000002
【特許請求の範囲】
【請求項１】
空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するためのタンクと、前記加湿フィルタに空気を送る送風手段とを備えた加湿装置において、前記タンクは水を一時的に貯留するための容器と、前記容器に水を供給するための開口を有する給水口と、前記水を排出するための開口を有する排水口からなり、前記給水口または前記排水口の開口の少なくとも一部が、その開口のある面に隣接する少なくとも一つの面に接し、前記給水口および前記排水口にはその開口の内側に接して入り込んで開口を封止する封止手段を備え、前記給水口または前記排水口の開口に前記封止手段を設置したときに、前記封止手段を開口のある面に対して垂直方向に投影した際に開口のある面内に収まる加湿装置。
【請求項２】
タンクの給水口および／または排水口の開口が、前記タンクの開口が設けられている面の全てが開口している請求項１に記載の加湿装置。
【請求項３】
タンクに容器を支えるための持ち手を有する請求項１または２に記載の加湿装置。
【請求項４】
タンクの持ち手が中空であり、前記持ち手内部が容器内部と連通している請求項３に記載の加湿装置。
【請求項５】
タンクの持ち手は、前記タンクの凹部を形成する請求項３または４に記載の加湿装置。
【請求項６】
タンクの給水口の封止手段に排水口を付設している請求項１から５のいずれか一項に記載の加湿装置。
【請求項７】
タンクの封止手段には封止手段を動かすための作動手段を付属している請求項１から６のいずれか一項に記載の加湿装置。
【請求項８】
タンクの容器内の水位が前記容器の外側に示される請求項１から７のいずれか一項に記載の加湿装置。
【請求項９】
タンクの容器の給水最大容量を示す水位が前記容器の外側に示される請求項８に記載の加湿装置。
【請求項１０】
タンクの給水口および／または排水口が略真円である請求項１から９のいずれか一項に記載の加湿装置。
【請求項１１】
タンクの給水口および／または排水口の内径に封止手段を螺合できる請求項１０に記載の加湿装置。
【請求項１２】
タンクの封止手段を容器に設置完了したことを示す封止完了通知手段を付設している請求項１から請求項１１のいずれか一項に記載の加湿装置。
【請求項１３】
請求項１から１２に記載の加湿装置において、吸込口と吹出口を連通する風路内に空気浄化フィルタを備え、送風手段は加湿フィルタおよび空気浄化フィルタに空気を送ることを特徴とする加湿空気清浄装置。
【発明の詳細な説明】
【技術分野】
【０００１】
本発明は、機械に組み込み、水を貯留する際に使用される加湿装置に関するものである。
【背景技術】
【０００２】
従来、この種のタンクは、加湿装置用タンクとして、給水口が大きくしたものが知られている（例えば、特許文献１参照）。
【０００３】
以下、そのタンクについて図６を参照しながら説明する。
【０００４】
図６の（ａ）はタンクの排水口および給水口のある面の正面図であり、（ｂ）はタンクの断面を示す構成図である。図６に示すように、水を一時的に貯留するための容器１０１と、前記容器に水を供給するための給水口１０２と、付設機器に水を供給するための排水口１０３を持ち、給水口１０２および排水口１０３には漏水防止のための封止手段１０４を備えている。前記封止手段１０４には、封止手段を設置した状態でタンクを持てるように、溝１０５が付設されている。また、容器１０１内が汚損し洗浄する際には、前記封止手段１０４を容器１０１から取り外し、給水口１０２または排水口１０３を開口し、ここに洗浄部材や手を入れて清掃し、汚れを落とすことができるので、容器１０１の内面が常に清潔に保たれ、貯留水１０６を清潔に貯留できる。
【先行技術文献】
【特許文献】
【０００５】
【特許文献１】実開昭５５−１７７１３３号公報
【発明の概要】
【発明が解決しようとする課題】
【０００６】
このような従来のタンクにおいては、容器内に手を入れやすくするために給水口または排水口の開口を大きくすれば、容器の開口よりも大きい封止手段を確保しなくてはならない。そのため、タンクの設置方向の断面積を大きくとらなければならず、タンクを組み込む機器の設置面積も増大させるという課題を有していた。
【０００７】
そこで本発明は、上記従来の課題を解決するものであり、同じ開口の大きさを持つタンクを設置しても設置面積が小さくなるコンパクトな加湿装置を提供することを目的とする。
【課題を解決するための手段】
【０００８】
そして、この目的を達成するために、本発明は、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するためのタンクと、前記加湿フィルタに空気を送る送風手段とを備えた加湿装置において、前記タンクは水を一時的に貯留するための容器と、前記容器に水を供給するための開口を有する給水口と、前記水を排出するための開口を有する排水口からなり、前記給水口および／または前記排水口の開口の少なくとも一部が、その開口のある面に隣接する少なくとも一つの面に接し、前記給水口および前記排水口にはその開口の内側に接して入り込んで開口を封止する封止手段を備え、前記給水口または前記排水口の開口に前記封止手段を設置したときに、前記封止手段を開口のある面に対して垂直方向に投影した際に開口のある面内に収まる加湿装置であり、これにより所期の目的を達成するものである。
【発明の効果】
【０００９】
本発明によれば、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するためのタンクと、前記加湿フィルタに空気を送る送風手段とを備えた加湿装置において、前記タンクは水を一時的に貯留するための容器と、前記容器に水を供給するための開口を有する給水口と、前記水を排出するための開口を有する排水口からなり、前記給水口または前記排水口の開口の少なくとも一部が、その開口のある面に隣接する少なくとも一つの面に接し、前記給水口および前記排水口にはその開口の内側に接して入り込んで開口を封止する封止手段を備え、前記給水口または前記排水口の開口に前記封止手段を設置したときに、前記封止手段を開口のある面に対して垂直方向に投影した際に開口のある面内に収まるとしたことにより、封止手段によるタンクの設置方向の断面積の増大を防ぐことができ、同じ開口の大きさを持つタンクを設置しても設置面積が小さくなるコンパクトな加湿装置を実現することができる。
【図面の簡単な説明】
【００１０】
【図１】本発明の実施の形態１の加湿装置のタンクを示す斜視図
【図２】本発明の実施の形態１の加湿装置のタンクの給水口の封止手段に付設した排水口の斜視図（ａ）タンクを加湿装置から取り外した際の斜視図（ｂ）タンクを加湿装置に設置し、タンクから加湿装置に水が供給されている際の斜視図
【図３】本発明の実施の形態１の加湿装置の断面を示す構成図
【図４】本発明の実施の形態２のタンクの開口を付設した面の斜視図（ａ）溝が作動手段である同斜視図（ｂ）溝と突起が作動手段である同斜視図（ｃ）作動手段が開口幅よりも大きい同斜視図
【図５】本発明の実施の形態３のタンクの給水口および／または排水口の上面図
【図６】従来の加湿装置のタンクを示す図（ａ）タンクの排水口および給水口のある面の正面図上面図（ｂ）タンクの断面を示す構成図
【発明を実施するための形態】
【００１１】
本発明の請求項１記載の加湿装置は、空気の吸込口と吹出口を有する本体と、この吸込口と吹出口を連通する風路内に、空気を加湿するための加湿フィルタと、前記加湿フィルタを配置するための貯水トレイと、前記加湿フィルタに水を供給するためのタンクと、前記加湿フィルタに空気を送る送風手段とを備えた加湿装置において、前記タンクは水を一時的に貯留するための容器と、前記容器に水を供給するための開口を有する給水口と、前記水を排出するための開口を有する排水口からなり、前記給水口または前記排水口の開口の少なくとも一部が、その開口のある面に隣接する少なくとも一つの面に接し、前記給水口および前記排水口にはその開口の内側に接して入り込んで開口を封止する封止手段を備え、前記容器に前記封止手段を設置したときに、前記封止手段を開口のある面に対して垂直方向に投影した際に開口のある面内に収まることを特徴とする。これにより、容器に大きい開口があるため手や清掃部材を入れて掃除ができ、タンク内を清潔に保つことができると同時に、封止手段によるタンクの設置方向の断面積の増大を防ぐことができるため、同じ開口の大きさを持つタンクを設置しても設置面積が小さくなるコンパクトな加湿装置を実現することができる。
【００１２】
また、タンクの給水口および／または排水口の開口が、前記タンクの開口が設けられている面の全てが開口しているという構成にしてもよい。これにより、タンクの開口と容器の間に段差が生じないため、開口部に死角がなく、清掃するときに汚れを見ることができ、隈なく掃除できる。さらに、タンクの開口を下にしても開口と容器の間に水が溜まらないため、簡単に水を出し切り、乾燥させ、タンク内を清潔に保つことができる。
【００１３】
また、タンクに容器を支えるための持ち手を有するという構成にしてもよい。これにより、より運びやすくなるので、給水して重量が増加したタンクでも簡単に持ち運ぶことができる。さらに、タンクを持ちながら給水できるため、蛇口に開口を近づけて給水でき、また、加湿装置に設置する際にも支えながら挿入することができる。
【００１４】
また、タンクの持ち手が中空であり、前記持ち手内部が容器内部と連通しているという構成にしてもよい。これにより、持ち手の中にも水を入れることができるため、より多くの水を貯留でき、加湿装置に一度に供給できる水量が確保され、給水回数を減らすことができる。
【００１５】
また、タンクの持ち手は、前記タンクの凹部を形成するものであっても良い。これにより、タンクに持ち手を付設することによる設置方向の断面積の増大を防ぐことができるため、持ち手がありながらもコンパクトなタンクにでき、加湿装置に設置した場合にもコンパクトに収めることができる。
【００１６】
また、タンクの給水口の封止手段に排水口を付設しているという構成にしてもよい。これにより、タンクの開口の設置数を減らすことができるため、封止部材の数も減り、タンクの清掃を単純化できる。
【００１７】
また、タンクの封止手段には封止手段を動かすための作動手段を付属しているという構成にしてもよい。これにより、タンクの封止手段を動かすことが容易になる。
【００１８】
また、タンクの容器内の水位が前記容器の外側に示されるという構成にしてもよい。これにより、タンクの外側から水量を確認できるため、重量等でタンク内の水量を確かめる必要が無く、給水時期を見計らうことができる。さらに、タンクに水を供給している際にも現在の水量を把握できるため、タンク容量の範囲内で任意の量を給水できる。
【００１９】
また、タンクの容器の給水最大容量を示す水位が前記容器の外側に示されるという構成にしてもよい。これにより、タンクへの水の供給状況を容易に認識することができるようになるために、タンクに給水した際にも水が溢れることを防ぐことができる。
【００２０】
また、タンクの給水口および／または排水口が略真円であるという構成にしてもよい。これにより、開口と封止手段が角度と関係なく形が合うため、封止手段の向きなどを考慮せず、容易に封止できる。また、加湿装置に給水口設置する際も、方向を気にせずに容易に加湿装置へ設置することができる。
【００２１】
また、タンクの給水口および／または排水口の内径に封止手段を螺合できるという構成にしてもよい。これにより、タンクの前記封止手段の位置がずれにくくなり、封止手段の密封度が向上する。また、衝撃によって外れたりしないので漏水しない。
【００２２】
また、タンクの封止手段を容器に設置完了したことを示す封止完了通知手段を付設しているという構成にしてもよい。これにより、封止手段を最後まで確実に閉めることができる。加湿装置に設置する際も水が漏れ出ないので、タンク周囲を濡らすこともなく、加湿装置に水がかかることも防ぐことができる。
【００２３】
また、吸込口と吹出口を連通する風路内に空気浄化フィルタを備え、送風手段は加湿フィルタおよび空気浄化フィルタに空気を送ることを特徴とするという構成にしてもよい。これにより、清潔な空気を加湿フィルタ内に挿入できるため、トレイ内の水に汚れは流入しない。トレイ内の水が汚れないため、タンク内の水と連通している場合にもタンク内の水を清潔に保つことができる。
【００２４】
以下、本発明の実施の形態について図面を参照しながら説明する。
【００２５】
（実施の形態１）
図１は本発明の加湿装置のタンクの斜視図を示している。また、図２は、本発明の加湿装置のタンク１の給水口１３の封止手段に付設した排水口１７の斜視図を示しており、図２の（ａ）ではタンク１を加湿装置から取り外した際の斜視図であり、（ｂ）はタンク１を加湿装置に設置し、タンク１から加湿装置に水が供給されているときの斜視図を示している。また、図３は、図１のタンク１を用いた本発明の加湿装置の断面を示す構成図を示している。
【００２６】
図１に示すタンク１は、水を一時的に貯留するための容器として円筒状の透明アクリル樹脂の枠体１１があり、この枠体１１の側面には、このタンク１の貯水できる水の最大量の位置の線１２が表示されている。この枠体１１の上面に水を供給するための円形の給水口１３があり、容器の上面一面が開口している。
【００２７】
この開口の内側には雌螺子になっており、栓１４を給水口１３の内側に接してねじ込ませることによって給水口１３を塞ぐ。
【００２８】
また、枠体１１の側面には持ち手１５があり、持ち手１５は枠体１１を凹ませることによって形成している。また、持ち手１５は中空であり、枠体１１内部と連通している。また、栓１４には栓１４の作動手段としての溝１６と、加湿装置に給水する際に水が通る排水口１７があり、排水口１７には排水弁１８が付設されている。
【００２９】
また、図２において、図の太い点線部は栓１４の輪郭を、実線は排水口１７の輪郭を示している。この栓１４は、中央に排水口１７を有しており、図２の（ａ）では、タンク１は加湿装置から取り外され、水２１がタンク１内に貯留されている。一方、（ｂ）では、タンク１は加湿装置に設置され、排水口１７が開き、タンク１から加湿装置に水２１が供給されている。栓１４の中央にある排水口１７には、排水口１７の封止手段として排水弁１８があり、排水弁１８をタンク１内部方向に押すと、排水口１７と排水弁１８の間に隙間２４ができ、この隙間２４から水２１をタンク１外部に出すことができる。加湿装置に給水する際には、タンク１の栓１４を下にして、図２の（ｂ）のように排水弁１８をタンク１内部方向に押すための突起２２が付設された貯水トレイ２３に設置することにより、排水弁１８を作動させ、貯水トレイ２３に給水する。
【００３０】
また、図３において、空気の吸込口３１と吹出口３２を有する本体３３と、この吸込口３１と吹出口３２を連通する風路内に、空気を加湿するための不織布からなる加湿フィルタ３４がある。また、前記加湿フィルタ３４を配置するための貯水トレイ２３があり、タンク１が設置されている。また、前記貯水トレイ２３内には水位を保つ手段としてフロート（図示しない）が付設され、前記フロートが一定の水位を感知すると、前記加湿フィルタ３４に空気を送る送風手段としてのファン・モータ３５が運転を停止する。また、貯水トレイ２３のタンク１設置部にはタンク１の排水弁１８を作動する押し棒（図示しない）が付属しており、押し棒がタンク１の排水弁１８を作動することで、タンク１から貯水トレイ２３に給水される。
【００３１】
上記構成によれば、栓１４が雄螺子で、枠体１１側に雌螺子となっており、栓１４が容器の内側に入りこんで漏水を防止するため、栓１４を設置した際に、枠体１１の外に栓１４がはみ出ず、設置面積を最小に保つことができ、コンパクトなタンク１となる。
【００３２】
さらに、タンク１単体で梱包する場合にも、栓１４が枠体１１からはみ出さない分、梱包剤が少なくて済み、その梱包したタンク１を車両等で輸送する場合にも積載効率が良く、輸送コストも低減できる。
【００３３】
また、タンク１を加湿装置に設置する際も、栓１４が容器からはみ出さず、コンパクトに設置することができる。さらに、栓１４が内側に入り込んでタンク１の開口を支えるので、開口は外側からの力に強く、輸送等の際に段積みしても、形状を保つことができる。また、タンク１を加湿装置に設置する際に加湿装置の本体３３に当たっても、形状を維持することができる。
【００３４】
さらに、枠体１１にタンク１が螺子構造で確実に開口を塞ぐことができるので、漏水を防ぐことができる。また、漏水を防ぐことにより、タンク１の周囲を濡らすこともない。なお、栓１４と開口は螺子構造に限らず、ゴム栓等の伸縮性のある素材で塞いだり、ゴムパッキンを押圧しながら内部に入りこむような構造にしたりする等、開口の内側に接して開口を塞ぐものであればよい。
【００３５】
また、枠体１１上面の一面が給水口１３として開口しているため、口径を広く取ることができ、タンクに簡単に給水することができる。また、枠体１１内部が汚れた場合にも、中に手や洗浄部材を入れて洗浄することができ、タンク１内を清潔に保つことができる。さらに、開口の一部が枠体１１の側面に接しているために、開口側から覗いた際にタンク１内部の死角が少なく、清掃する際に汚れを目視でき、掃除勝手がよく、タンク１内をより清潔に保つことができる。
【００３６】
また、枠体１１側面には持ち手１５があり、タンク１の設置スペースが限られている際にも、手で持って給水等の作業をすることができる。また、持ち手１５は枠体１１上面から枠体１１底面への投影面からはみ出さないように設置されているため、付設機器に設置しても設置方向の断面積を増大させず、加湿装置の設置面積を増大させない。
【００３７】
また、持ち手１５は中空であり、枠体１１内部と連通しているため、持ち手１５をつけても、連通部分にも貯水し、より多くの貯水することができ、加湿装置の給水回数を減らすことができる。枠体１１内部を連通した中空の持ち手１５は、樹脂のブロー成形などによって容易に作ることができる。なお、持ち手１５の位置はタンク１側面に限定せず、タンク１の底面や上面であっても良い。
【００３８】
また、排水口１７は栓１４に付設しており、加湿装置に給水する際は、タンク１を上下逆様にし、封止手段に付設した排水弁１８を押すことで排水弁１８と排水口１７が離れて隙間２４ができ、貯水トレイ２３に給水する。これにより、開口が一箇所で済み封止手段がコンパクトになる。さらに、漏水した際にも、タンク１の上下を入れ替えるだけで漏水を防止できる。また、栓１４の内側に溝１６が付設され、溝１６に手を入れて栓１４をねじ込むことができるので、より簡単に開け閉めすることができる。なお、栓１４に付設する排水口１７の封止手段は、給水口の封止手段の中心に限らない。
【００３９】
また、容器が透明な樹脂でできており、容器内部が側面から見えるため、貯水時等には現在のタンク１の水量が分かり、給水すべきタイミングを推測できる。また、給水時には水の供給の停止のタイミングを掴み、容器内から余分な水が溢れ出すことを防止できる。さらに、本体３３に組み込んでもタンク１が見えるような構造にすれば、加湿時にはタンク１の水量の変化を見ることができ、タンク１内の水量を把握することができる。尚、容器はアクリル樹脂に限らず、ポリプロピレンやポリエチレン、ＰＥＴ、ＡＢＳ等でもよい。また、タンク全体を透明にする必要は無く、タンクの一部を透明にして把握しても良いし、タンク内の水量を表示するメータ等を付設してもよい。
【００４０】
また、容器側面には、給水最大容量を示すマークを記載しているため、給水後に封止手段を設置しても水が溢れない水位にすることができる。
【００４１】
また、封止手段の容器設置面が略円形であれば、封止手段と容器の設置位置を見極めなくとも封止手段を設置することができる。
【００４２】
また、たとえば、図３の点線部に空気浄化フィルタを配置して加湿空気清浄機としても良い。これにより、清潔でかつ潤った空気を得ることができる。また、空気中の埃等が除去された空気を貯水部に送ることができるため、貯水トレイ２３内の水を清潔に保つことができる。
【００４３】
（実施の形態２）
図４はタンクの開口を付設した面の斜視図で、排水弁を設けない場合を示している。図４の点線部は容器としての枠体４１を示しており、実線で記載したところは、タンクの封止手段としての栓４２と、栓４２に付設した栓４２を動かすための作動手段である。図４の（ａ）および（ｂ）は、開口を設置した面を全て開口した場合を示しており、（ｃ）は開口の一部が容器側面に接している場合を示している。
【００４４】
（ａ）は栓４２の作動手段として、溝４３が付設されている。この構造により、この溝４３に手を入れて封止手段を作動させ、栓４２を枠体４１から取り出したり設置したりできる。また、（ｂ）は栓４２の作動手段として、溝４３だけでなく、突起４４を有しているため、手を中に入り込ませなくとも栓４２を枠体４１に設置することができる。（ｃ）は開口がこの開口を有する面の一部である場合で、栓４２の作動手段として、溝４３と突起４４があり、開口よりも幅が広い突起４４が付設されている。栓４２が設置完了した際に、栓４２の枠体４１への投影面が開口のある前記枠体４１の面に収まるように螺子などを設置すれば、開口を有する面から突起がはみ出さず、突起が長い分、上記の（ａ）（ｂ）より弱い力で栓を動かすことができる。
【００４５】
（実施の形態３）
図５はタンクの給水口および／または排水口の開口を正面とした正面図であり、タンクの作動手段の形状を示している。図５の点線部はタンクの容器としての枠体５１の輪郭を示しており、実線は、タンクの封止手段としての栓５２と、栓５２に付設した栓５２を動かすための作動手段としての作動部５３で、斜線部は栓５２の作動部５３を示している。
【００４６】
図５の（ａ）から（ｅ）は栓５２が枠体５１へ入り込む深さと、作動部５３を除く栓５２の高さが一致しているものである。さらに、（ａ）は栓５２の最大径に作動部５３を設置したもので、（ｂ）は十字型にしたもの、（ｃ）は栓５２の内側に複数の作動部５３を設置して中央に作動部５３がないもの、（ｄ）は中央のみに作動部５３を設置したもの、（ｅ）は中央から栓５２の縁まで作動部５３を設置したものである。
【００４７】
（ａ）から（ｅ）のようにすることで、枠体５１の開口のある面と栓５２の一面の位置関係を確認することで、封止手段が完全に設置されたかを一目で把握することができる。さらに、（ａ）のようにすることで、作動部５３を広くできる。また、（ｂ）のようにすることで、作動部５３を掴む位置の方向の自由度を二倍にし、作動手段と手の位置を合わせる手間を省くことができる。（ｃ）は、複数の作動部５３があり、一つの作動部５３が破損した際にも別の作動部５３によって栓５２を動かすことができる。（ｃ）、（ｄ）、および（ｅ）は溝が一つの面で形成されているため、汚れが付着したりしたときにも洗いやすい。
【００４８】
また、図５の（ｆ）と（ｇ）は、ともに設置完了時の状態を示している。（ｆ）は設置完了時に栓５２に記載された印と、枠体５１に記載された印の位置を一致させることで、栓５２が枠体５１に完全に設置されたことを示す。また、（ｇ）は栓５２が、枠体５１の開口のある面に対して垂直方向に投影した際に開口のある面に収まるように配置したときに設置が完了するようになっている。ほかに栓５２を一定位置に収める方法としては、たとえば一定以上の力がかかると空回りするような制御を設けるなどの方法がある。
【００４９】
このような構造にすれば、封止手段が容器に確実に設置することができ、タンクからの漏水を防ぐことにより、タンクの周囲を濡らすこともない。
【産業上の利用可能性】
【００５０】
本発明にかかる加湿装置は、設置面積が小さくなるコンパクトな構成を実現することができるものであるので、家庭用・業務用加湿装置および加湿空気清浄装置のほか、加湿機能付ファンヒータ、灯油タンクを設置するファンヒータ、給水タンクを用いた電気ポット等として有用である。
【符号の説明】
【００５１】
１１    枠体
１２    線
１３    給水口
１４    栓
１５    持ち手
１６    溝
１７    排水口
１８    排水弁
２１    水
２２    突起
２３    貯水トレイ
２４    隙間
３１    吸込口
３２    吹出口
３３    本体
３４    加湿フィルタ
３５    ファン・モータ
４１    枠体
４２    栓
４３    溝
４４    突起
５１    枠体
５２    栓
５３    作動部
１０１  容器
１０２  給水口
１０３  排水口
１０４  封止手段
１０５  溝
１０６  貯留水
【図１】
2012083064.tif 000003
【図２】
2012083064.tif 000004
【図３】
2012083064.tif 000005
【図４】
2012083064.tif 000006
【図５】
2012083064.tif 000007
【図６】
2012083064.tif 000008